(57)【要約】【課題】紙の使用量を抑えつつ、油分や水分が表面まで浸透することを防ぐことができるフィンガーフード用容器を提供すること。【解決手段】それぞれが折り目にて区分けされる背面領域、底部領域、前面領域がこの順に直列に配列される紙状素材であって、背面領域又は／及び前面領域には、両領域を容器組み上げ時に容器外側になる面にて接続するための接続領域が左右に折り目にて区分けされて配列されており、これらの折り目にて折り曲げ、接続領域と前記容器外側になる面とを接着剤にて接着することで組み上げられるフィンガーフード用容器であって、少なくとも前面領域の容器組み上げ時に容器外側となる面には耐水性又は／及び耐油性を備えたニスをオーバーコートした装飾模様が印刷されているフィンガーフード用容器を提供する。【選択図】図１
0003203598.tif 000002
【実用新案登録請求の範囲】
【請求項１】
それぞれが折り目にて区分けされる背面領域、底部領域、前面領域がこの順に直列に配列される紙状素材であって、
背面領域又は／及び前面領域には、両領域を容器組み上げ時に容器外側になる面にて接続するための接続領域が左右に折り目にて区分けされて配列されており、
これらの折り目にて折り曲げ、接続領域と前記容器外側になる面とを接着剤にて接着することで組み上げられるフィンガーフード用容器であって、
少なくとも前面領域の容器組み上げ時に容器外側となる面には耐水性又は／及び耐油性を備えたニスをオーバーコートした装飾模様が印刷されているフィンガーフード用容器。
【請求項２】
背面領域にさらに折り目にて区分けされた蓋領域が配列されている請求項１に記載のフィンガーフード用容器。
【請求項３】
底部領域は紙状素材に装飾模様の印刷なしで前記ニスをコーティングした請求項１又は２に記載のフィンガーフード用容器。
【請求項４】
前記接続領域内側とこの接続領域と接続される前記容器外側になる面には前記ニスをコーティングしていない請求項１から３のいずれか一に記載のフィンガーフード用容器。
【請求項５】
前記前面領域に印刷される装飾模様と連続した装飾模様が組み上げられたのちに前記背面領域に近くなる側の前記接続領域に印刷されている請求項１から４のいずれか一に記載のフィンガーフード用容器。
【考案の詳細な説明】
【技術分野】
【０００１】
本件考案は、コンビニエンスストアやファーストフード店などにおいて、フライドポテトやフランクフルト、唐揚げなどを販売するのに用いられる、紙製組立式立体容器に関する。
【背景技術】
【０００２】
ファーストフード店等で販売される指でつまんで食べるような食べ物（以下「フィンガーフード」という。）用容器については種々のものが存在する。これらの容器は紙製であり、油分や水分を含んでいる食物を入れると油分や水分が容器に浸透してしまう場合がある。そうすると、手や食卓を汚したり、容器の見栄えが悪くなったりといった問題があった。そこで、下記特許文献１に係る技術では、容器正面部分を二重化して油分や水分が容器正面の表面まで浸透するのを防ぐ構成としている。
【特許文献１】実用新案登録３１６１６６３号
【考案の開示】
【考案が解決しようとする課題】
【０００３】
しかしながら上記考案は下記の問題点がある。すなわち、上記容器のように、容器の一部分を二重化することで、油分や水分が表面まで浸透することを防止することは可能である。しかし、二重化した分、紙の使用量が増大するといった問題がある。これは紙の厚さを大きくした場合においても同様である。また、二重化することで折り曲げ部分が増加することに起因して、容器の製作工程が増えることによる手間の増大といった問題点も生ずる。このため、紙の使用量を抑えつつ、油分や水分が表面まで浸透することを防ぐことができるフィンガーフード用容器を提供することが課題であった。
【課題を解決するための手段】
【０００４】
以上の課題を解決するため、第一の考案では、それぞれが折り目にて区分けされる背面領域、底部領域、前面領域がこの順に直列に配列される紙状素材であって、背面領域又は／及び前面領域には、両領域を容器組み上げ時に容器外側になる面にて接続するための接続領域が左右に折り目にて区分けされて配列されており、これらの折り目にて折り曲げ、接続領域と前記容器外側になる面とを接着剤にて接着することで組み上げられるフィンガーフード用容器であって、少なくとも前面領域の容器組み上げ時に容器外側となる面には耐水性又は／及び耐油性を備えたニスをオーバーコートした装飾模様が印刷されているフィンガーフード用容器を提供する。
【０００５】
第二の考案は、第一の考案に加えて背面領域にさらに折り目にて区分けされた蓋領域が配列されているフィンガーフード用容器を提供する。
【０００６】
第三の考案は、第一または第二の考案に加え、底部領域は紙状素材に装飾模様の印刷なしで前記ニスをコーティングしたフィンガーフード用容器を提供する。
【０００７】
第四の考案は、第一ないし第三の考案に加え、前記接続領域とこの接続領域と接続される前記容器外側になる面には前記ニスをコーティングしていないフィンガーフード用容器を提供する。
【０００８】
第五の考案は、第一ないし第四の考案に加え、前記前面領域に印刷される装飾模様と連続した装飾模様が組み上げられたのちに前記背面領域に近くなる側の前記接続領域に印刷されているフィンガーフード用容器を提供する。
【考案の効果】
【０００９】
本件考案によれば、少なくとも前面領域の容器組み上げ時に容器外側となる面には耐水性又は／及び耐油性を備えたニスをオーバーコートした装飾模様が印刷されているため、容器内部から表面へと水分や油分が浸透することを防ぐことが可能である。このため、所持または設置した際に、手や食卓を汚すことがない。また、容器の紙を多重化あるいは厚みを増大させる必要がないので、紙の使用量を抑えることが可能である。その上、多重化することにより折り目が増えた結果、製作工程が増大することを防ぐことが可能である。さらに、多重化や厚みを増大することによって重量が増大し、輸送コストの増大や環境負荷の増大を招くことを防ぐことが可能である。
【考案を実施するための最良の形態】
【００１０】
以下に本件考案の実施例を説明する。なお、本考案はこの実施例に限定されるものではなく、その要旨を逸脱しない範囲において、種々なる態様で実施しうる。
≪実施例≫
【００１１】
＜概要＞
本実施例のフィンガーフード用容器は、所定の折り目にて区分けされる領域が直列に配置されることにより背面と底面と前面とを構成し、背面または／および前面領域には、容器組み上げ時に背面と前面とを接続するための接続領域が左右に折り目にて区分けされて配列されている。この接続領域を接着することにより容器を組み上げることが可能である。そして、少なくとも前面領域の容器組み上げ時に容器外側となる面には耐水性又は／及び耐油性を備えたニスをオーバーコートした装飾模様が印刷されているフィンガーフード用容器である。
【００１２】
図１は本実施例のフィンガーフード用容器の概要を説明するための図である。この図にあるように本実施例のフィンガーフード用容器は袋状の容器である。容器は略円筒状の本体（０１０１）と本体背面に接続された蓋（０１０２）を有している。なお、本実施例のフィンガーフード用容器では、蓋は必須の構成要件ではなく、無くてもよい。図２および図３はそれぞれ正面図と背面図である。この図を用いて説明すると、本実施例のフィンガーフード用容器は、前面領域（０２０１）と底部領域と背面領域（０３０１）と、前面と背面を接続するための領域（０３０２、０３０３）を有している。背面（０３０１）にはフラップ（０２０３、０３０５）がついた蓋領域（０２０２、０３０４）が折り目にて区分けされて配列している。当該蓋は前面上縁（０２０４）にフラップを差し込むことにより、蓋を係止することが可能である。
【００１３】
＜構成＞
（フィンガーフード用容器の概要・特徴）
本実施例のフィンガーフード容器は、それぞれが折り目にて区分けされる背面領域、底部領域、前面領域がこの順に直列に配列される紙状素材であって、背面領域又は／及び前面領域には、両領域を容器組み上げ時に容器外側になる面にて接続するための接続領域が左右に折り目にて区分けされて配列されており、これらの折り目にて折り曲げ、接続領域と前記容器外側になる面とを接着剤にて接着することで組み上げられるフィンガーフード用容器である。そして、少なくとも前面領域の容器組み上げ時に容器外側となる面には耐水性又は／及び耐油性を備えたニスをオーバーコートした装飾模様が印刷されている。
【００１４】
図４は、本実施例のフィンガーフード用容器の概念を説明するための展開図である。容器はこの図にあるように、一枚のシートを折り曲げ、接着することにより形成される。それぞれが折り目にて区分けされる背面領域（３）〜（５）、底部領域（６）〜（１８）、前面領域（２０）〜（２２）がこの順に直列に配列している。背面領域（３）〜（５）又は／及び前面領域（２０）〜（２２）には、両領域を容器組み上げ時に容器外側になる面（３）、（５）にて接続するための接続領域（１９）、（２３）が左右に折り目にて区分けされて配列されている。これらの折り目にて折り曲げ、接続領域（１９）、（２３）と前記容器外側になる面（３）、（５）とを接着剤にて接着することで組み上げられる。そして、少なくとも前面領域（２０）〜（２２）の容器組み上げ時に容器外側となる面（１９）〜（２３）には耐水性又は／及び耐油性を備えたニスをオーバーコートした装飾模様が印刷されている。
【００１５】
本実施例のフィンガーフード用容器の素材として考えられるものは、基本的には厚紙である。この厚紙は食品を入れる容器であるから、衛生面を考慮してバージンパルプ１００％のものを使用することが望ましい。また表面に印刷による装飾が施されることから、印刷適性を考慮して特殊白板紙であるＡカードの使用が望ましい。
【００１６】
上記領域は折り目にて区分けされているが、各折り目には、折り曲げを容易にするため、エンボスあるいはミシン目加工等を施してもよい。以下、各部について図４を用いて説明する。
【００１７】
（各部の概要）
背面領域（３）〜（５）と、底部領域（６）〜（１８）と、前面領域（２０）〜（２２）とは、この順に直列に配列され、それぞれが折り目にて区分けされている。図２および図３においては前面領域（０２０１）と、背面領域（０３０１）とが折り目により３分割されている構成となっているが、折り目を有さずに曲面で構成されていてもよい。また各領域（４）、（１９）〜（２３）のいずれかにおいては切り込みを有していてもよい（（１９）、（２３）においてはそれぞれ（３）、（５）の領域を貫通させる）。この切り込みは、店舗におけるディスプレイ等に使用するためにフック状のものに引っ掛けて利用したり、パッケージされた楊枝を差し込むポケットとして利用したりすることが可能である。
【００１８】
（前面領域）
前面領域（２０）〜（２２）は容器を組み立てた際に容器前面となる領域である。同領域は底部領域（６）〜（１８）と、接続領域（１９）、（２３）と接続されている。本実施例のフィンガーフード用容器では、少なくとも前面領域に容器組み上げ時に容器外側となる面には耐水性又は／及び耐油性を備えたニスをオーバーコートした装飾模様が印刷されている。耐水性又は／及び耐油性を備えたニスをオーバーコートすることにより、水分や油分を前面領域に浸出させることを防止するためである。これにより、前面領域の用紙を二重化することなく容器を構成することができる。このため、用紙使用量を大幅に低減することが可能である。また容器自体の軽量化も達成することができるため、輸送コスト等の低減と同時に、環境面への負荷軽減にも寄与することとなる。ここで、耐水性又は／及び耐油性を備えたニスは、耐水および耐油性の効果を有する点のほか、印刷機で塗布が可能である点等の塗布の簡便性を考慮すると、ＯＰ（Ｏｖｅｒ  Ｐｒｉｎｔ）ニスを採用することが望ましい。
【００１９】
（背面領域）
背面領域（３）〜（５）は、容器を組み立てた際に容器背面となる領域である。同領域は底部領域（６）〜（１８）と接続されている。背面領域のうち折り目で区分けされた左右の領域（３）、（５）それぞれには後述する接続領域それぞれ（１９）、（２３）が容器外側となる面に接着される。
【００２０】
（底部領域）
底部領域（６）〜（１８）は容器を組み立てた際に容器底面となる領域である。斜視図である図５において底部（０５０３）を示す。同領域は背面領域（３）〜（５）と、前面領域（２０）〜（２３）とに接続されている。当領域は載地面より上げ底をされるように折り曲げることで構成されている。具体的には、領域（６）〜（８）がそれぞれ背面領域（３）〜（５）の内側となるように重ね合わされ、同様に領域（１６）〜（１８）がそれぞれ前面領域（２０）〜（２２）の内側となるように重ね合わされ底部を折り込むことで脚となる構造となっている。これは、容器底部が直接載地面に接触することで、浸出した水分や油分が載地面にある食卓等を汚すのを防止する趣旨である。本容器の構造上、接続領域を底面より立ち上げることができない反面、底面を立体的形状とすることが可能となっている。このような構造をとることで、容器中の食品等の油分や水分が、領域（１２）に集まり、底部にできた隙間から油分や水分が漏れだすことがない。したがって、底部領域の防水や防油が十分であればこのような構造をとらなくともよい。すなわち、底部領域の紙状素材に装飾模様の印刷なしで前記ニスをコーティングして底部領域からの油分や水分の浸出を防止することは有効であり、上記のように上げ底構造を取らなくとも食卓等を汚さないフィンガーフード用容器を提供することが可能である。
【００２１】
（接続領域）
接続領域（１９）、（２３）は容器を組立てた際に、背面領域又は／及び前面領域の容器外側になる面にて前面と背面とを接続するための領域である。これら接続領域は（１９）、（２３）は前面領域（２０）、（２２）とは左右に折り目にて区分けされて配列されている。当該領域と、背面領域（３）、（５）であって容器外側になる面とを接着剤にて接着することで、容器は組み上げられる。図５は組み上げられたフィンガーフード用容器を下方から見た図である。この図にあるように、前面領域から折り目にて区分けされて配列された接続領域（０５０１）が背面領域であって容器外側になる面（０５０２）に接着されている。図６はフィンガーフード用容器の側面図である。本図においても接続領域（０６０１）が背面領域出会って容器外側になる面（０６０２）に接着されているのがわかる。この接続領域は、図４では前面領域（２０）、（２２）と折り目にて区分けされ配列しているが、背面領域（３）（５）側に折り目にて区分けされて配列しており、前面領域（２０）、（２２）であって容器外側になる面に接着する態様であってよい。しかしながら、前面領域（２０）、（２２）に接続領域が接着されるため、紙の継ぎ目が正面から見え、見栄えが悪くなるといった点が短所となる。さらに、接続領域は、前面領域と背面領域との両方に有していても良いが、図４のように、前面領域（２０）、（２２）と折り目にて区分けされて配列して接続領域を有する態様が望ましい。このような態様をとることで、前面領域（２０）〜（２２）に印刷された装飾模様と連続した模様を、組み上げられたのちに前記背面領域に近くなる側にある接続領域（１９）、（２３）に施すことが可能となる。そうすると、購入者の目に触れることの多い、左側接続領域より正面領域、そして右側接続領域領域（１９）〜（２３）に渡り連続した装飾模様を印刷することが可能となる。すると、組み立て時に用紙の継ぎ目で生じる前面領域及び接続領域における装飾模様のズレの発生を防止することで容器外観の見栄えを保つことが可能である。
【００２２】
なお、接続領域（１９）、（２３）とこの接続領域と接続される容器外側になる面（３）、（５）にはニスをコーティングしないことが望ましい。これは、接続領域を接着材にて接着する際に、接着する先の容器外側になる面（３）、（５）にニスをコーティングすると、接着材の接着力が低下し接続領域が剥がれる恐れがあるからである。
【００２３】
（蓋領域）
背面領域（４）にはさらに蓋領域（１）、（２）が折り目にて区分けされ配列される構成であってもよい。蓋領域は折り目にて区分けされたフラップ部分（１）を有しており、前面領域（２１）の上縁部分（０２０４）の容器内側に差し込むことで蓋を固定することが可能である。差し込む際には前面領域（２０）、（２２）に折り目にて区分けされ配列されているフラップ部分（２４）、（２５）が蓋領域（２）の外縁部分に接触することでストッパーの役目を果たし、蓋が容器内部に落ち込むことを防いでいる。なお図２において蓋領域（２）は、蓋の柔軟性を高め、開閉の利便性を高めるため折り目にて小領域に区分されていてもよい。
【００２４】
＜効果の簡単な説明＞
本件考案によれば、少なくとも前面領域の容器組み上げ時に容器外側となる面には耐水性又は／及び耐油性を備えたニスをオーバーコートした装飾模様が印刷されているため、容器内部から表面へと水分や油分が浸透することを防ぐことが可能である。このため、所持または設置した際に、手や食卓を汚すことがない。また、容器の紙を多重化あるいは厚みを増大させる必要がないので、紙の使用量を抑えることが可能である。その上、多重化することにより折り目が増えた結果、製作工程が増大することを防ぐことが可能である。さらに、多重化や厚みを増大することによって重量が増大し、輸送コストの増大や環境負荷の増大を招くことを防ぐことが可能である。
【図面の簡単な説明】
【００２５】
【図１】組立後の容器を上から見た斜視図
【図２】組立後の容器の正面図
【図３】組立後の容器の背面図
【図４】シートの展開図
【図５】組立後の容器を下から見た斜視図
【図６】組立後の容器右側面図
【符号の説明】
【００２６】
０２０１      前面領域
０３０１      背面領域
０３０２、０３０３      接続領域
０５０３      底面領域
【図１】
0003203598.tif 000003
【図２】
0003203598.tif 000004
【図３】
0003203598.tif 000005
【図４】
0003203598.tif 000006
【図５】
0003203598.tif 000007
【図６】
0003203598.tif 000008